(57)【特許請求の範囲】
【請求項１】
空隙を有するヨークと、このヨークに巻き付けられたコイルと、このコイルに電流を供給する制御部と、前記ヨークの空隙内を貫通して設けられたステンレス製の球発射路とを備えた球発射装置であって、
前記球発射路は、平面状の底面と、この底面に略垂直に設けられ、供給された球が、この球の直径より若干小さい直径の孔にセットされて発射待機する待機部と、この待機部に前記球が待機している場合につづいて供給される球が排除される第１の排除路とを備え、さらに、第１の案内板、第２の案内板、第３の案内板が一体形成されたものであり、
前記第１の案内板は、前記底面の側部に、前記待機部に向かって低くなる傾斜状態で、かつその側辺と前記待機部との間の距離を前記球の直径よりも若干大きく設定されて設けられ、
前記第２の案内板は、前記底面との間の距離を前記球の直径よりも若干大きく設定されて、前記待機部の上方に設けられ、
前記第３の案内板は、前記底面と前記待機部との間に折り曲げて設けられ、
これら前記第１の案内板の側辺と前記第２の案内板の先端に沿って球が導かれ、その後、前記底面を経て前記待機部に前記球が供給され、
また、前記待機部に球が待機している場合には、つづいて供給される球が前記第１の案内板と前記第３の案内板の間を転動して、前記第１の案内板と前記第２の案内板の間の前記第１の排除路に排除される球発射装置。
【請求項２】
前記待機部の孔を挟んで前記第１の排除路と反対側に第２の排除路を設けた請求項１に記載の球発射装置。
【発明の詳細な説明】
【０００１】
【発明の属する技術分野】
本発明はパチンコ機等に使用する球発射装置に関するものである。
【０００２】
【従来の技術】
従来のパチンコ球発射装置は、図６に示すようにパチンコ台１の前面にゲージ盤２が設けられ、ゲージ盤２に球を導くためのレール３が設けられている。また球発射装置４が前記ゲージ盤２の下方に設けられ、この球発射装置４から発射された球は、レール３を経てゲージ盤２に導かれる。
【０００３】
【発明が解決しようとする課題】
しかしながら、このような従来の構成では、球が前記レール３から球発射装置４へ戻ってくることがある。複数個連なった状態で発射すると、球はレール３から飛出さず、ゲージ盤２上の役物５への入賞の機会を逸するという問題があった。
【０００４】
本発明は、このような問題点を解決するものでゲームを中断することなく続行することのできる球発射装置を提供することを目的としたものである。
【０００５】
【課題を解決するための手段】
この目的を達成するために本発明の球発射装置は、空隙を有するヨークと、このヨークに巻き付けられたコイルと、このコイルに電流を供給する制御部と、前記ヨークの空隙内を貫通して設けられたステンレス製の球発射路とを備えた球発射装置であって、前記球発射路は、平面状の底面と、この底面に略垂直に設けられ、供給された球が、この球の直径より若干小さい直径の孔にセットされて発射待機する待機部と、この待機部に前記球が待機している場合につづいて供給される球が排除される第１の排除路とを備え、さらに、第１の案内板、第２の案内板、第３の案内板が一体形成されたものであり、前記第１の案内板は、前記底面の側部に、前記待機部に向かって低くなる傾斜状態で、かつその側辺と前記待機部との間の距離を前記球の直径よりも若干大きく設定されて設けられ、前記第２の案内板は、前記底面との間の距離を前記球の直径よりも若干大きく設定されて、前記待機部の上方に設けられ、前記第３の案内板は、前記底面と前記待機部との間に折り曲げて設けられ、これら前記第１の案内板の側辺と前記第２の案内板の先端に沿って球が導かれ、その後、前記底面を経て前記待機部に前記球が供給され、また、前記待機部に球が待機している場合には、つづいて供給される球が前記第１の案内板と前記第３の案内板の間を転動して、前記第１の案内板と前記第２の案内板の間の前記第１の排除路に排除される構成としたものである。
【０００６】
これにより、ゲームを中断することなく続行することができる。
【０００７】
本発明の請求項１に記載の発明は、空隙を有するヨークと、このヨークに巻き付けられたコイルと、このコイルに電流を供給する制御部と、前記ヨークの空隙内を貫通して設けられたステンレス製の球発射路とを備えた球発射装置であって、前記球発射路は、平面状の底面と、この底面に略垂直に設けられ、供給された球が、この球の直径より若干小さい直径の孔にセットされて発射待機する待機部と、この待機部に前記球が待機している場合につづいて供給される球が排除される第１の排除路とを備え、さらに、第１の案内板、第２の案内板、第３の案内板が一体形成されたものであり、前記第１の案内板は、前記底面の側部に、前記待機部に向かって低くなる傾斜状態で、かつその側辺と前記待機部との間の距離を前記球の直径よりも若干大きく設定されて設けられ、前記第２の案内板は、前記底面との間の距離を前記球の直径よりも若干大きく設定されて、前記待機部の上方に設けられ、前記第３の案内板は、前記底面と前記待機部との間に折り曲げて設けられ、これら前記第１の案内板の側辺と前記第２の案内板の先端に沿って球が導かれ、その後、前記底面を経て前記待機部に前記球が供給され、また、前記待機部に球が待機している場合には、つづいて供給される球が前記第１の案内板と前記第３の案内板の間を転動して、前記第１の案内板と前記第２の案内板の間の前記第１の排除路に排除される構成としたものであり、これにより待機部の孔に確実に球がセットされ、続いて供給された球が待機部にセットされることはない。従って、待機部に球が連なることがないので、発射可能となり、ゲームを中断することなく続行することができる。
【０００８】
請求項２に記載の発明は、前記待機部の孔を挟んで前記第１の排除路と反対側に第２の排除路を設けたものであり、待機部にセットされた球を除いて、確実に２個以上の球を排除させることが可能である。
【００１２】
以下、本発明の実施の形態について図１〜５を用いて説明する。
図２は球発射装置の概念図を示している。図２に於いて、１１は鉄板で構成されたヨークであり、図示するようにＣ字形をしておりその一部に空隙１２を有している。ヨーク１１の空隙１２を挟むようにコイル１３，１４が巻き付けられている。コイル１３，１４は制御部１５からの電流で制御されている。制御部１５からの電流は操作部１６の操作量に応じて可変する。１７はヨーク１１の空隙１２内を貫通して設けられた球発射路であり、この球発射路１７の奥部１７ａには球の待機部が設けられている。この球待機部に待機している球は、前記制御部１５によってコイル１３，１４が励磁されると、この磁力によって吸引されＡ方向に向かって発射される。こうして発射された球はレールを通ってパチンコ台のゲージ盤に導かれるものである。
【００１３】
次に球発射路１７について図１を用いて詳細に説明する。球発射路１７はステンレスや樹脂等の非磁性体で一体成形されたものである。１８は球発射路１７の底面であり、平面となっている。この底面１８の奥部には待機部１９が略垂直に設けられている。この待機部１９の略中央部には球の直径より若干小さい孔２０が設けられている。具体的にはパチンコ球の直径はφ１１mmであるので、孔２０の直径はφ１０．３mmとしている。２１は底面１８の側部に設けられた第１の案内板であり、２２は前記待機部１９の上方に設けられた第２の案内板である。また２３は第１の案内板２１と第２の案内板２２の間に設けられた第３の案内板である。
【００１４】
ここで、これらの案内板の位置関係について図３、４、５を用いて説明する。図３は、球発射路１７の平面図である。図３に於いて、第１の案内板２１の側面２１ａと待機部１９との距離Ｂは、パチンコ球の直径より若干大きくしており本実施例では１１．２mmとしている。
【００１５】
図４は、球発射路１７の側面図である。図４に於いて、第２の案内板２２と底面１８との距離Ｃもパチンコ球の直径より若干大きくしており、本実施の形態では、１１．２mmとしている。また第３の案内板２３は底面１８と待機部１９との間に折り曲げて形成されており、底面１８からの高さＤは２mmとするとともに奥行きＥは２．８mmとしている。
【００１６】
このようにすることにより、球が待機部１９に待機しているときにつづけて供給された球は確実に排除されることになる。この第１の案内板２１と、第２の案内板２２側に第１の排除路２４が形成されている。また、前記孔２０を挟んで第１の排除路２４と反対側に第２の排除路２５が形成されている。
【００１７】
図５は、孔２０を説明したもので、Ｆはパチンコ球の直径よりも若干小さくしており本実施の形態では、１０．３mmである。また、第１の案内板２１は球が供給部より安定して供給されるために角度を付与しており、その角度Ｇは、２０°である。
【００１８】
以上のように構成された球発射装置について、以下にその動作を説明する。
図２に示すように待機部にセットされた球２６は、コイル１３，１４に通電することによりＡ方向へ発射するわけであるが、球２６の供給は、図４に示す第１の案内板２１の側辺２１ａと、第２の案内板２２の先端２２ａに沿い、図１に示す底面１８を経て待機部１９の孔２０にセットされる。このような状態で、次の球２７（図示せず）が案内板２１，２２を通って供給されたとすると、この球２７は、先程セットされた球２６があるので孔２０にセットされることなく第１の排除路２４または、第２の排除路２５を通り排除される。また正常な球より直径が小さな球は、この孔２０を通って排除されるので、小径球が発射されることはない。
【００１９】
このように球発射路１７には一つの球しかないので、この球はレール３を経てゲージ盤２に到達可能となり、球が連なることにより発射不能となり、入賞タイミングを逸することがない。
【００２０】
【発明の効果】
以上のように本発明は、空隙を有するヨークと、このヨークに巻き付けられたコイルと、このコイルに電流を供給する制御部と、前記ヨークの空隙内を貫通して設けられたステンレス製の球発射路とを備えた球発射装置であって、前記球発射路は、平面状の底面と、この底面に略垂直に設けられ、供給された球が、この球の直径より若干小さい直径の孔にセットされて発射待機する待機部と、この待機部に前記球が待機している場合につづいて供給される球が排除される第１の排除路とを備え、さらに、第１の案内板、第２の案内板、第３の案内板が一体形成されたものであり、前記第１の案内板は、前記底面の側部に、前記待機部に向かって低くなる傾斜状態で、かつその側辺と前記待機部との間の距離を前記球の直径よりも若干大きく設定されて設けられ、前記第２の案内板は、前記底面との間の距離を前記球の直径よりも若干大きく設定されて、前記待機部の上方に設けられ、前記第３の案内板は、前記底面と前記待機部との間に折り曲げて設けられ、これら前記第１の案内板の側辺と前記第２の案内板の先端に沿って球が導かれ、その後、前記底面を経て前記待機部に前記球が供給され、また、前記待機部に球が待機している場合には、つづいて供給される球が前記第１の案内板と前記第３の案内板の間を転動して、前記第１の案内板と前記第２の案内板の間の前記第１の排除路に排除される構成としたものであり、球がレールから飛び出さずに役物への入賞機会を逸することがなくなり、ゲームを中断することなく続行することができるという効果がある。
また、径の小さい偽球が入っても孔から容易にその偽球を排除させることができる。
【図面の簡単な説明】
【図１】本発明の実施の形態による球発射装置の球発射路の斜視図
【図２】同、球発射装置の概念図
【図３】同、球発射装置の球発射路の平面図
【図４】同、球発射装置の球発射路の第１側面図
【図５】同、球発射装置の球発射路の第２側面図
【図６】従来の球発射装置を有するパチンコ機の説明をする正面図
【符号の説明】
１１  ヨーク
１３  コイル
１４  コイル
１５  制御部
１７  球発射路
１９  待機部
２４  第１の排除路
２５  第２の排除路
２６  球
２７  球
【図１】
0004033926.tif 000002
【図２】
0004033926.tif 000003
【図３】
0004033926.tif 000004
【図４】
0004033926.tif 000005
【図５】
0004033926.tif 000006
【図６】
0004033926.tif 000007